(57)【要約】【課題】この発明は側柵の幅方向にずれ動くことがないよう設けることができるようにした側柵用カバー装置を提供することにある。【解決手段】柔軟な材料によって形成されたシート本体８と、このシート本体を複数の側柵間の隙間５を覆う状態でこれら側柵に巻装したときに上記シート本体の一端部と他端部とを連結するベルベットファスナ９，１０と、上記シート本体の内面に設けられこのシート本体が複数の側柵に巻装されたときにこれら側柵間の隙間の上端開口を閉塞する上部杆部材１６及び下端開口を閉塞する下部杆部材１７と、上記シート本体の内面に設けられこのシート本体が複数の側柵に巻装されたときに複数の側柵間の間隙に入り込んで上記シート本体が上記側柵の幅方向にずれ動くのを阻止する移動規制部材１１とを具備する。【選択図】    図４
2004194809.tif 000002
【特許請求の範囲】
【請求項１】
ベッドの側部に所定の間隔で設けられる複数の側柵間の隙間をカバーする側柵用カバー装置において、
柔軟な材料によって形成されたシート本体と、
このシート本体を複数の側柵間の隙間を覆う状態でこれら側柵に巻装したときに上記シート本体の一端部と他端部とを連結する連結手段と、
上記シート本体の内面に設けられこのシート本体が複数の側柵に巻装されたときにこれら側柵間の隙間の上端開口を閉塞する上部杆部材及び下端開口を閉塞する下部杆部材と、
上記シート本体の内面に設けられこのシート本体が複数の側柵に巻装されたときに複数の側柵間の間隙に入り込んで上記シート本体が上記側柵の幅方向にずれ動くのを阻止する移動規制部材と
を具備したことを特徴とする側柵用カバー装置。
【請求項２】
上記シート本体の外面には袋状の収容部が形成されていることを特徴とする請求項１記載の側柵用カバー装置。
【発明の詳細な説明】
【０００１】
【発明の属する技術分野】
この発明はベッドの側部に複数の側柵を設けた場合に、隣り合う側柵間の隙間を覆うための側柵用カバー装置に関する。
【０００２】
【従来の技術】
たとえば、介護用などのベッドにおいては、利用者や利用者に掛けられた寝具などが落下するのを防止するため、ベッドの側部に側柵を設けることができるようにしている。通常、上記側柵は、上記ベッドの側部のサイドフレームに形成された取り付け孔に着脱可能に取り付け、不要な場合には取り外すことができるようにしている。
【０００３】
上記側柵の幅寸法は、ベッドの長さ寸法よりも短く形成され、必要に応じて複数の側柵をベッドのサイドフレームに取り付けるということが行なわれている。複数の側柵をサイドフレームに取り付けると、隣り合う側柵の端部間に隙間が生じることがあり、その場合、その隙間に物や利用者の身体の一部が挟まることがある。そのため、上記隙間を隣り合う側柵の端部を連結する連結柵でカバーするということが行なわれている。
【０００４】
従来、上記連結柵としてはたとえば特許文献１に記載される構成が知られている。
【０００５】
【特許文献１】
特許第２８３２６９９号公報
この特許文献１に示された連結柵は、隣り合う一対の側柵の上部横枠部材と下部横枠部材とを外側から挟み込み架け渡すようにした、第１の連結横杆と第２の連結横杆とを有する。これら横杆の中途部にはそれぞれ支柱部材を連結し、これら支柱部材を伸縮自在に連結して固定手段で固定することで、一対の側柵間に保持固定するようにしている。
【０００６】
【発明が解決しようとする課題】
ところで、このような構成の連結柵によると、第１の連結横杆と第２の連結横杆とが隣り合う一対の側柵の上部横枠部材と下部横枠部材を挟み込んでいるだけなので、これら連結横杆が側柵の幅方向に沿ってずれ動き易いということがあった。連結横杆の一端部が側柵の幅方向に沿ってずれ動くと、側柵の上部横枠部材と下部横枠部材から外れてしまうということがあるので、安定した状態で使用することができないということがあった。
【０００７】
この発明は、側柵の幅方向にずれ動いて側柵から外れないようにすることで、一対の側柵間の隙間を確実に閉塞できるようにした側柵用カバー装置を提供することにある。
【０００８】
【課題を解決するための手段】
この発明は、ベッドの側部に所定の間隔で設けられる複数の側柵間の隙間をカバーする側柵用カバー装置において、
柔軟な材料によって形成されたシート本体と、
このシート本体を複数の側柵間の隙間を覆う状態でこれら側柵に巻装したときに上記シート本体の一端部と他端部とを連結する連結手段と、
上記シート本体の内面に設けられこのシート本体が複数の側柵に巻装されたときにこれら側柵間の隙間の上端開口を閉塞する上部杆部材及び下端開口を閉塞する下部杆部材と、
上記シート本体の内面に設けられこのシート本体が複数の側柵に巻装されたときに複数の側柵間の間隙に入り込んで上記シート本体が上記側柵の幅方向にずれ動くのを阻止する移動規制部材と
を具備したことを特徴とする側柵用カバー装置にある。
【０００９】
上記シート本体の外面には袋状の収容部が形成されていることが好ましい。
【００１０】
この発明によれば、複数の側柵にシート本体を巻装すると、このシート本体の内面に設けられた移動規制部材が複数の側柵間の隙間に入り込むため、側柵に巻装されたシート本体がずれ動くのが防止され、しかも上部杆部材と下部杆部材とによってシート本体が上記隙間内へ変形するのが防止される。
【００１１】
【発明の実施の形態】
以下、図面を参照しながらこの発明の一実施の形態を説明する。
【００１２】
図１と図２はベッドのサイドフレーム１の部分を示す斜視図であって、このサイドフレーム１には複数の取付け孔１ａが上面に開口して形成されている。取付け孔１ａには、一対の側柵３が脚部２を着脱可能に装着して所定間隔で設けられている。各側柵３は枠部４を有し、この枠部４の下端から上記脚部２が延出されている。
【００１３】
一対の側柵３の隣り合う側部間には図２に示すように隙間５が形成されており、この隙間５は側柵用カバー装置７によって閉塞される。この側柵用カバー装置７は図３（ａ），（ｂ）に示すように矩形状のシート本体８を有する。このシート本体８は合成樹脂、布地或いは合成皮革などの柔軟性を有する材料によって形成されている。このシート本体８の長手方向一端部の内面には帯状の第１のベルベットファスナ９が幅方向に沿って設けられ、他端部の外面には上記第１のベルベットファスナ９とで第１の連結手段を構成する帯状の第２のベルベットファスナ１０が同じく幅方向に沿って設けられている。
【００１４】
上記シート本体８を、上記隙間５を覆うよう、一対の側柵３に跨ってこれら側柵３の端部間に巻装すると、図４に示すように上記第１のベルベットファスナ９を第２のベルベットファスナ１０に係着することができる。それによって、シート本体８は上記隙間５を覆った状態で一対の側柵３に装着される。
【００１５】
上記シート本体８の内面の長手方向中途部には、発泡ポリエチレンなどの比較的硬質な材料によって形成された移動規制部材１１が設けられている。この移動規制部材１１は、一対の側柵３間の隙間５よりもわずかに小さな幅寸法に形成されていて、周辺部を上記シート本体８の内面に固着した保持カバー１２によって上記シート本体８の内面に保持されている。
【００１６】
上記シート本体８を一対の側柵３に巻装すると、上記移動規制部材１１はこれら側柵３の端部間の隙間５入り込む。それによって、シート本体８が側柵３の幅方向に沿ってずれ動くのが阻止される。
【００１７】
上記保持カバー１２の外面には第３のベルベットファスナ１３が設けられ、上記シート本体８の内面には上記第３のベルベットファスナ１３に係着する第４のベルベットファスナ１４が設けられている。これら第３、第４のベルベットファスナ１３，１４は、シート本体８を側柵３に装着したときに係着し、その係着によってシート本体８が側柵３の側面から浮き上るのを防止する。それによって、一対の側柵３の隙間５に係合した上記移動規制部材１１がその隙間５から外れるのを阻止する。なお、上記第３のベルベットファスナ１３と第４のベルベットファスナ１４は第２の連結手段を構成している。
【００１８】
図３（ａ）に示すように、上記シート本体８の内面の、上記移動規制部材１１の一端側と他端側には、それぞれ上部杆部材１６と下部杆部材１７とが幅方向のほぼ全長にわたって設けられている。各杆部材１６，１７は硬質或いは半硬質の合成樹脂などによって断面形状が上記側柵３を形成するパイプの直径と対応するほぼＵ字状に形成されている。
【００１９】
上記各杆部材１６，１７は、上記シート本体８の一端部と他端部とを、このシート本体８の内面に折り返して接着する際に、各折り返し部８ａ，８ｂによって上記シート本体８の内面に保持固定される。
【００２０】
上記シート本体８を一対の側柵３の端部に巻装する際、上記上部杆部材１６は一対の側柵３の枠部４を形成する上部パイプ４ａに上端側から係合し、上記下部杆部材１７は下部パイプ４ｂに下端側から係合する。
【００２１】
それによって、一対の側柵３間の隙間５の上端と下端の開口部分は、シート本体８によって覆われるだけでなく、一対の杆部材１６，１７によっても閉塞されるから、これら杆部材１６，１７の硬さによってシート本体８が隙間５内に変形するのが防止される。
【００２２】
上記シート本体８の外面の長手方向中途部には、矩形状のシートが三辺を固着することで、上端が開口した袋状の収容部１８が設けられている。シート本体８の外面の上記収容部１８の上端開口に対応する部分にはカバーシート１９が設けられ、このカバーシート１９によって収容部１８の上端開口が開閉されるようになっている。
【００２３】
このような構成の側柵用カバー装置７は、隣り合う一対の側柵３の両端部にシート本体８を巻装し、このシート本体８の一端部内面に設けられた第１のベルベットファスナ９と、他端部外面に設けられた第２のベルベットファスナ１０とを係着することによって装着保持される。
【００２４】
シート本体８を一対の側柵３に装着する際、移動規制部材１１は一対の側柵３間の隙間５に挿入される。また、上部杆部材１６は一対の側柵３の枠部４を形成する上部パイプ４ａに係合し、下部杆部材１７は一対の側柵３の下部パイプ４ｂに係合する。
【００２５】
それによって、シート本体８は上記移動規制部材１１により、側柵３の幅方向に沿ってずれ動くのが防止されるから、使用中にシート本体８が側柵３から外れ、隙間５が露出するようなことがない。
【００２６】
シート本体８に設けられた上部杆部材１６と下部杆部材１７とによって柔軟なシート本体８が上記隙間５の上端と下端とからその隙間５内へ変形するのが防止される。つまり、シート本体８を側柵３に巻装可能とするため、柔軟な材料で形成しても、一対の側柵３間の隙間５の上端開口と下端開口とが確実に閉塞される。そのため、利用者が上記隙間５の上端や下端からシート本体８を変形させて手足などを挟み込むのを防止できる。
【００２７】
側柵３に装着されたシート本体８の外面には収容部１８が設けられている。そのため、この収容部１８に小物類を収容しておくことができるから便利である。たとえば、ベッドが背上げベッドの場合、上記収容部１８に背上げベッドを遠隔操作するためのコントローラを収容しておけば、コントローラの所在が明確となるため、利用者はコントローラの操作を迅速に行なうことができる。
【００２８】
上記移動規制部材１１を保持した保持カバー１２には第３のベルベットファスナ１３を設け、シート本体８の内面にはこの第３のベルベットファスナ１３に係着する第４のベルベットファスナ１４を設けた。
【００２９】
そのため、シート本体８を側柵３に装着すると、上記第３、第４のベルベットファスナ１３，１４の係着によって、シート本体８が側柵３の側面から浮き上るのを防止する。それによって、シート本体８の内面に設けられた上記移動規制部材１１が一対の側柵３間の隙間５から外れるのを防止するから、そのことによっても、シート本体８が側柵３の幅方向にずれ動くのが防止される。
【００３０】
この発明は上記一実施の形態に限定されるものでなく、上部杆部材と下部杆部材との断面形状はＵ字状に限られず、コ字状や帯板状などであってもよく、要はシート本体が一対の側柵の隙間の上端側と下端側とから内方へ変形するのを防止する硬さを備えた部材であればよい。
【００３１】
また、シート本体を側柵に巻装したときに、このシート本体の一端部と他端部とを連結する連結手段としてベルベットファスナを用いたが、ベルベットファスナに代わりフォックであってもよく、又はシート本体の一端部にボタンを設け、他端部にボタン孔を設けるなどしてもよく、要はシート本体の一端部と他端部とを連結できるものであればよい。
【００３２】
【発明の効果】
以上のようにこの発明によれば、複数の側柵にシート本体を巻装すると、このシート本体の内面に設けられた移動規制部材が複数の側柵間の隙間に入り込む。そのため、側柵に巻装されたシート本体が側柵の幅方向に沿ってずれ動くのが防止されるから、一対の側柵間の隙間を確実に閉塞できる。
【００３３】
しかも、上記隙間の上端側と下端側とは上部杆部材と下部杆部材とによって閉塞されるから、利用者がシート本体を変形させて手足などを隙間に挟み込むのを防止することもできる。
【図面の簡単な説明】
【図１】この発明の一実施の形態を示す側柵にカバー装置を装着した斜視図。
【図２】側柵にカバー装置を装着する途中の斜視図。
【図３】（ａ）はカバー本体の内面を示す平面図、（ｂ）はカバー本体の側断面図。
【図４】カバー装置を側柵に装着した状態の断面図。
【符号の説明】
１…サイドフレーム
３…側柵
８…シート本体
９…第１のベルベットファスナ（連結手段）
１０…第２のベルベットファスナ（連結手段）
１１…移動規制部材
１６…上記杆部材
１７…下部杆部材
１８…収容部
【図１】
2004194809.tif 000003
【図２】
2004194809.tif 000004
【図３】
2004194809.tif 000005
【図４】
2004194809.tif 000006